(57)【特許請求の範囲】
【請求項１】
口部、肩部、胴部および底部が合成樹脂で一体に形成されてなり、
前記胴部に、その径方向内方に凹んだパネル部が、この胴部の周方向に間隔をあけて複数設けられ、周方向で隣り合うパネル部同士の間が柱部とされるとともに、ラベルが巻き付けられる合成樹脂製のボトルであって、
前記パネル部は、このボトルの中心軸線に対して傾斜する方向に延在し、このパネル部の底面には、当該パネル部を複数に区画し、かつ前記柱部よりも径方向内方に位置する補助柱部が突設され、
前記パネル部は、前記補助柱部によって主パネル面とこの主パネル面よりも面積が小さい副パネル面とに区画されていることを特徴とするボトル。
【請求項２】
請求項１記載のボトルであって、
前記補助柱部は、前記パネル部の傾斜方向と逆向きに延在していることを特徴とするボトル。
【発明の詳細な説明】
【技術分野】
【０００１】
本発明は、胴部にラベルが巻き付けられる合成樹脂製のボトルに関するものである。
【背景技術】
【０００２】
この種のボトルとして、口部、肩部、胴部および底部が合成樹脂で一体に形成されてなり、前記胴部に、その径方向内方に凹んだパネル部が、この胴部の周方向に間隔をあけて複数設けられた構成が知られている。このように、胴部にパネル部を設けることによって、高温の内容物をボトルに充填したときに胴部が膨出変形するのを抑制する、つまり耐熱性能を付与したり、あるいはボトルに密封された内容物の温度が低下したときに胴部が陥没変形するのを抑制する、つまり減圧吸収性能を付与したりしている。
【特許文献１】特開２００６−２４０７２８号公報
【発明の開示】
【発明が解決しようとする課題】
【０００３】
ところで近年では、胴部にラベルが巻き付けられたボトルが数多く提供されているが、胴部にパネル部が形成されていることによるこの胴部外周面の凹凸形状によって、ラベルを凹凸少なく滑らかに胴部に巻き付けるのが困難であるという問題があった。
なお、この問題を解決するために、単にパネル部の大きさを小さくすると、前述した耐熱性能および減圧吸収性能を低下させることになる。
【０００４】
本発明は、このような事情を考慮してなされたもので、耐熱性能および減圧吸収性能を確保しつつ、ラベルを凹凸少なく滑らかに胴部に巻き付けることができるボトルを提供することを目的とする。
【課題を解決するための手段】
【０００５】
上記課題を解決して、このような目的を達成するために、本発明のボトルは、口部、肩部、胴部および底部が合成樹脂で一体に形成されてなり、前記胴部に、その径方向内方に凹んだパネル部が、この胴部の周方向に間隔をあけて複数設けられ、周方向で隣り合うパネル部同士の間が柱部とされるとともに、ラベルが巻き付けられる合成樹脂製のボトルであって、前記パネル部は、このボトルの中心軸線に対して傾斜する方向に延在し、このパネル部の底面には、当該パネル部を複数に区画し、かつ前記柱部よりも径方向内方に位置する補助柱部が突設され、前記パネル部は、前記補助柱部によって主パネル面とこの主パネル面よりも面積が小さい副パネル面とに区画されていることを特徴とする。
この発明によれば、パネル部に前記補助柱部が突設されているので、胴部に巻き付けられたラベルにおいてパネル部上に位置する部分が大きく窪もうとしても、この部分を前記補助柱部の頂面で支持させることが可能になり、ラベルを凹凸少なく滑らかに胴部に巻き付けることができる。
さらに、パネル部がボトルの中心軸線に対して傾斜する方向に延在しているので、ボトル内圧の上昇時および下降時それぞれにおいて、パネル部の膨出変形および陥没変形のみならず、胴部全体を前記中心軸線回りにねじり変形させることも可能になり、このパネル部に補助柱部を設けたことによる耐熱性能および減圧吸収性能の低下を補わせることができる。
以上より、耐熱性能および減圧吸収性能を確保しつつ、ラベルを凹凸少なく滑らかに胴部に巻き付けることができる。
【０００６】
ここで、補助柱部は、前記パネル部の傾斜方向と逆向きに延在してもよい。
この場合、補助柱部が、前記パネル部の傾斜方向と逆向きに延在しているので、補助柱部の長さが大きくなりその剛性が小さくなるのを抑えることが可能になり、減圧時におけるパネル部の陥没変形に追従して補助柱部が折れ曲がるのを防ぐことができる。
さらに、補助柱部がパネル部の傾斜方向と逆向きに延在していることから、この補助柱部の延在する方向が、減圧時に胴部全体が前記中心軸線回りにねじり変形する方向と逆になる。したがって、減圧時における胴部全体の前記中心軸線回りのねじり変形に追従してこの胴部に巻き付けられたラベルがねじり変形し、このラベルにしわが生じようとしても、ラベルが前記補助柱部の頂面に当接することにより、補助柱部の頂面とラベルとの間に、しわを引き延ばして打ち消す方向の摩擦力を発生させることが可能になり、しわの発生を抑えることができる。
【発明の効果】
【０００８】
この発明に係るボトルによれば、耐熱性能および減圧吸収性能を確保しつつ、ラベルを凹凸少なく滑らかに胴部に巻き付けることができる。
【発明を実施するための最良の形態】
【０００９】
以下、図面を参照し、この発明の実施の形態について説明する。本実施形態に係るボトル１０は、図１に示されるように、口部１１、肩部１２、胴部１３および底部１４を備え、これら１１、１２、１３、１４が、それぞれの中心軸線を共通軸上に位置させた状態で、この共通軸方向の上方から下方に向けてこの順に連設された概略構成とされている。なお、このボトル１０は、例えば二軸延伸ブロー成形によりポリエチレンテレフタレート等の合成樹脂で一体に形成されている。また、口部１１の外周面には雄ねじ部１１ａが形成されており、この雄ねじ部１１ａに図示されないキャップが着脱可能に螺着されるようになっている。さらに、胴部１３には、図示されない例えばシュリンクラベル等のラベルが巻き付けられるようになっている。
ここで、本実施形態では、肩部１２、胴部１３および底部１４は、横断面形状が円形状とされており、前記共通軸はこの横断面がなす円形の中央部を通る直線となっている。以下、この共通軸を中心軸線Ｏという。
【００１０】
図示の例では、胴部１３は、肩部１２の下端に連設された筒状部１３ａと、筒状部１３ａの下端に連設された上側環状溝１３ｂと、上側環状溝１３ｂの下端に連設された上側環状リブ１３ｃと、上側環状リブ１３ｃの下端に連設された筒状の胴部本体１３ｄと、胴部本体１３ｄの下端に連設された下側環状リブ１３ｅと、下側環状リブ１３ｅの下端に連設された下側環状溝１３ｆと、を備えている。
【００１１】
そして、この胴部１３の胴部本体１３ｄに、径方向内方に凹んだパネル部１７が、この胴部１３の周方向に間隔をあけて複数設けられ、周方向で隣り合うパネル部１７同士の間が柱部１９となっている。図示の例では、パネル部１７は胴部本体１３ｄに周方向に等間隔をあけて４つ形成されている。
【００１２】
また、各パネル部１７は、胴部本体１３ｄにおける前記中心軸線Ｏ方向の長さと同等になっている。これにより、胴部本体１３ｄに形成された各柱部１９は、各パネル部１７同士の間に配置されている。
【００１３】
そして、本実施形態では、パネル部１７は、このボトル１０の中心軸線Ｏに対して傾斜する方向ａに延在し、このパネル部１７の底面には、パネル部１７を複数に区画し、かつ柱部１９よりも径方向内方に位置する補助柱部１８が突設されている。また、柱部１９もパネル部１７と同様に前記傾斜する方向ａに沿って延在している。
ここで、図示の例では、各パネル部１７は、胴部１３の側面視で平行四辺形状に形成されている。そして、パネル部１７を区画する周縁のうち、前記周方向における両側に位置する側端縁１７ａ、１７ｂが、前記傾斜する方向ａに沿って延在し、前記中心軸線Ｏ方向における両側に位置する上下端縁１７ｃ、１７ｄが、前記周方向に沿って延在している。
【００１４】
また、本実施形態では、補助柱部１８は、前記傾斜する方向ａと逆向きに延在している。この補助柱部１８の下端は、パネル部１７の周縁のうち一方の側端縁（図示の例では右側）１７ａと下端縁１７ｄとをつなぐ隅角部１７ｅに接続し、補助柱部１８の上端は、他方の側端縁（図示の例では左側）１７ｂの上部に接続されている。これにより、パネル部１７は、その上端縁１７ｃに底辺が位置し、かつ一方の側端縁１７ａに二等辺のうちの一辺が位置する前記中心軸線Ｏ方向に長い概略逆二等辺三角形状を呈する主パネル面２１と、下端縁１７ｄに底辺が位置し、かつ他方の側端縁１７ｂに二等辺のうちの一辺が位置する前記中心軸線Ｏ方向に長い概略二等辺三角形状を呈する副パネル面２２と、の二つに区画されている。さらに図示の例では、主パネル面２１は副パネル面２２よりも面積が大きくなっている。
【００１５】
以上説明したように本実施形態に係るボトル１０によれば、パネル部１７に補助柱部１８が突設されているので、胴部１３に巻き付けられたラベルにおいてパネル部１７上に位置する部分が大きく窪もうとしても、この部分を補助柱部１８の頂面で支持させることが可能になり、ラベルを凹凸少なく滑らかに胴部１３に巻き付けることができる。
さらに、パネル部１７がボトル１０の中心軸線Ｏに対して傾斜する方向ａに延在しているので、ボトル内圧の上昇時および下降時それぞれにおいて、パネル部１７の膨出変形および陥没変形のみならず、胴部１３全体を前記中心軸線Ｏ回りにねじり変形させることも可能になり、このパネル部１７に補助柱部１８を設けたことによる耐熱性能および減圧吸収性能の低下を補わせることができる。
以上より、耐熱性能および減圧吸収性能を確保しつつ、ラベルを凹凸少なく滑らかに胴部１３に巻き付けることができる。
【００１６】
また、本実施形態では、補助柱部１８が、前記傾斜する方向ａと逆向きに延在しているので、補助柱部１８の長さが大きくなりその剛性が小さくなるのを抑えることが可能になり、減圧時におけるパネル部１７の陥没変形に追従して補助柱部１８が折れ曲がるのを防ぐことができる。
さらに、補助柱部１８が前記傾斜する方向ａと逆向きに延在していることから、この補助柱部１８の延在する方向が、減圧時に胴部１３全体が前記中心軸線Ｏ回りにねじり変形する方向と逆になる。したがって、減圧時における胴部１３全体の前記中心軸線Ｏ回りのねじり変形に追従してこの胴部１３に巻き付けられたラベルがねじり変形し、このラベルにしわが生じようとしても、ラベルが補助柱部１８の頂面に当接することにより、補助柱部１８の頂面とラベルとの間に、しわを引き延ばして打ち消す方向の摩擦力を発生させることが可能になり、しわの発生を抑えることができる。
【００１７】
なお、本発明の技術的範囲は前記実施の形態に限定されるものではなく、本発明の趣旨を逸脱しない範囲において種々の変更を加えることが可能である。
例えば、パネル部１７の前記中心軸線Ｏ方向における両端部は、上側環状リブ１３ｃおよび下側環状リブ１３ｅに接続してもよいし、接続しなくてもよい。
また、補助柱部１８は、前記実施形態に限らず、例えば前記傾斜する方向ａ、前記中心軸線Ｏ方向、または胴部１３の周方向に沿って延在させてもよい。
【００１８】
さらに、前記実施形態では、補助柱部１８をパネル部１７に１つ設けたが、複数設けてもよい。
また、パネル部１７の形状や、パネル部１７を補助柱部１８で区画した形状は、パネル部１７が前記傾斜する方向ａに沿って延在していれば、前記実施形態に限られるものではない。
さらに、補助柱部１８は、複数のパネル部１７のうち少なくとも１つに形成していれば前記実施形態のように全てのパネル部１７に形成しなくてもよい。
【産業上の利用可能性】
【００１９】
耐熱性能および減圧吸収性能を確保しつつ、ラベルを凹凸少なく滑らかに胴部に巻き付けることができる。
【図面の簡単な説明】
【００２０】
【図１】本発明に係る一実施形態として示したボトルの側面図である。
【図２】図１に示すボトルのＡ−Ａ線矢視断面図である。
【符号の説明】
【００２１】
１０  ボトル
１１  口部
１２  肩部
１３  胴部
１４  底部
１７  パネル部
１８  補助柱部
１９  柱部
２１  主パネル面
２２  副パネル面
ａ  傾斜する方向
Ｏ  中心軸線
【図１】
0004990695.tif 000002
【図２】
0004990695.tif 000003